(57)【要約】      （修正有）【課題】繰り返し組み立て及び分解を実施可能で、温度変化や衝撃によって部材が外れ難い遠隔操作装置の筐体を提供することにある。【解決手段】リモコン筐体１は、表側に操作部を設置するフロント部２と、フロント部２の裏側に固定される裏蓋３と、フロント部２の裏側に固定される電池蓋４とを備えており、フロント部２と裏蓋３は、フロント部に形成された嵌合凹部１０と、裏蓋３に形成された嵌合凸部１１とがスライド嵌合され、さらに、フロント部２と裏蓋３はビス留めされ、フロント部２と電池蓋４は、フロント部２に形成された嵌合凹部１０と、電池蓋４に形成された嵌合凸部とがスライド嵌合され、裏蓋３と電池蓋４は、電池蓋４に形成された係合爪部８が裏蓋３に形成された係合孔部９で係止されることによって固定される。【選択図】      図１
2006049049.tif 000002
【特許請求の範囲】
【請求項１】
表側に操作部を設置するフロント部と、
前記フロント部の裏側に固定される裏蓋と、
前記フロント部の裏側に固定される電池蓋と、を備えるリモコン筐体であって、
前記フロント部と前記裏蓋は、前記フロント部の前記筐体裏面側に形成された嵌合凹部と、前記裏蓋の前記筐体表面側に形成された嵌合凸部とが、スライド可能に嵌合され、さらに、前記フロント部に備えられたビス留め用ボスと前記裏蓋に備えられたビス留め用孔部とがビスによって固定され、
前記フロント部と前記電池蓋は、前記フロント部の前記筐体裏面側に形成された嵌合凹部と、前記電池蓋の前記筐体表面側に形成された嵌合凸部とが、スライド可能に嵌合され、
前記裏蓋と前記電池蓋は、前記電池蓋に形成された係合爪部が前記裏蓋に形成された係合孔部で係止されることによって固定されることを特徴とする電子機器のリモコン筐体。
【請求項２】
表側に操作部を設置するフロント部と、
前記フロント部の裏側に固定される裏蓋と、
前記フロント部の裏側に固定される電池蓋と、を備える遠隔操作装置の筐体であって、
前記フロント部と前記裏蓋は、前記フロント部の前記筐体裏面側に形成された嵌合凹部と、前記裏蓋の前記筐体表面側に形成された嵌合凸部とが、スライド可能に嵌合され、
前記フロント部と前記電池蓋は、前記フロント部の前記筐体裏面側に形成された嵌合凹部と、前記電池蓋の前記筐体表面側に形成された嵌合凸部とが、スライド可能に嵌合されることを特徴とする遠隔操作装置の筐体。
【請求項３】
前記フロント部に備えられたビス留め用ボスと前記裏蓋に備えられたビス留め用孔部とがビスによって固定されることを特徴とする、請求項２に記載の遠隔操作装置の筐体。
【請求項４】
前記裏蓋と前記電池蓋は、前記電池蓋に形成された係合爪部が前記裏蓋に形成された係合孔部で係止されることによって固定されることを特徴とする、請求項２乃至３の何れか一つに記載の遠隔操作装置の筐体。
【請求項５】
前記遠隔操作装置は電子機器のリモコンであることを特徴とする、請求項２乃至４の何れか一つに記載の遠隔操作装置の筐体。
【発明の詳細な説明】
【技術分野】
【０００１】
本発明は、リモコン等の遠隔操作装置の筐体構造に関する。
【背景技術】
【０００２】
従来、リモコン等の遠隔操作装置の筐体は、複数の操作キーが設置されるフロント部と、フロント部の裏側に設置される裏蓋と、フロント部に設置される電池蓋とで構成されている。また、フロント部と裏蓋の固定方法として、裏蓋に形成されたフック部をフロント部に形成された孔部に嵌め合わせ、さらに、裏蓋とフロント部とをビス留めする方法が用いられており、裏蓋と電池蓋の固定方法として、電池蓋に形成された係合爪部が裏蓋に形成された係合孔部に係止される方法が用いられている。
【０００３】
こうした遠隔操作装置の筐体を分解する場合、フロント部と裏蓋とのビス留めを容易に外すことが出来たとしても、両部材の嵌合がきつく両部材を容易に分解することは出来ない。また、該筐体の組み立て及び分解を繰り返し行った場合には、裏蓋に形成されたフック部の変形及び破損が生じ、フロント部と裏蓋との嵌合を適切に行うことが出来なくなる。さらに、筐体に急激な温度変化や衝撃が加えられた場合、フロント部と裏蓋の嵌合が外れ、両部材に隙間が生じる。また、上述の遠隔操作装置の筐体では、電池蓋と裏蓋に設けられた係合部のみで固定されているので、筐体に衝撃が加えられた場合、電池蓋が裏蓋から外れ易い。
【０００４】
こうした問題を解決するために、種種の発明が提案されている。例えば、特許文献１では、空気調和機用リモコンの筐体について記載されており、該筐体の裏蓋に設けられた略くさび型の爪部をフロント部に設けられた切り欠き部にスライドして挿入することによって、筐体が組み立てられる構造が開示されている。特許文献２では、電池蓋と裏蓋を一体にした裏蓋と、フロント部の２点で構成される遠隔操作装置の筐体について記載されており、フロント部に設けられた凹条部と裏蓋に設けられた凸条部を嵌合してスライド可能にする構成が開示されている。また、この筐体構造では、裏蓋に設けられた係合爪部をフロント部の側面に設けられた貫通孔に係入し、さらに該係合爪部をフロント部内部に設けられた電池室の壁部に形成された小凹部で係止することによって、フロント部に対して裏蓋を２段階で開閉することが出来る。特許文献３では、電子機器のバッテリー収納部について記載されており、収納部の蓋に設けられたＬ字状の係合凸部が収納部に設けられた係合凹部に係合し、さらに、該蓋に設けられた嵌合凸部を収納部に設けられた嵌合凹部にスライド嵌合させる構造が開示されている。
【特許文献１】実公平６−４８２６０号公報（第２頁、第１図）
【特許文献２】公報特開平１１−９８５８３号公報（第２−３頁、第１図）
【特許文献３】特開２０００−２６０４０６号公報（第３―４頁、第１図）
【発明の開示】
【発明が解決しようとする課題】
【０００５】
特許文献１の発明では、フロント部と裏蓋の嵌合が、裏蓋に設けられた爪部をフロント部に設けられた切り欠き部にスライド挿入することによって行われるので、比較的容易に筐体の組み立て及び分解を行うことが出来るが、組み立て及び分解を繰り返した場合や、筐体に衝撃が加えられた場合、爪部が変形及び破損する可能性が大きい。特許文献２の発明では、フロント部に設けられた凹条部と裏蓋に設けられた凸条部を嵌合してスライド可能とする構造であるので、フロント部と裏蓋をフック部によって固定する場合に比して、落下時の衝撃に強い構造となっている、しかし、筐体に衝撃が加えられる等して裏蓋に設けられた係合爪部が破損した場合、フロント部と裏蓋が容易に外れてしまう。また、特許文献３の発明では、蓋に設けられた嵌合凸部と収納部に設けられた嵌合凹部がスライド嵌
合されるので、フック部による嵌合に比して強度を高めることは出来るが、電子機器に衝撃が加えられることや、収納部の蓋の取り付け及び取り外しを繰り返し行うことで、Ｌ字状の係合凸部が変形及び破損する虞がある。
【０００６】
したがって、本発明の目的は、繰り返し組み立て及び分解を実施可能で、温度変化や衝撃によって部材が外れ難い遠隔操作装置の筐体を提供することにある。
【課題を解決するための手段】
【０００７】
第１発明に係るリモコン筐体は、表側に操作部を設置するフロント部と、フロント部の裏側に固定される裏蓋と、フロント部の裏側に固定される電池蓋とを備えるリモコン筐体であって、フロント部と裏蓋は、フロント部の筐体裏面側に形成された嵌合凹部と、裏蓋の筐体表面側に形成された嵌合凸部とが、スライド可能に嵌合され、さらに、フロント部に備えられたビス留め用ボスと裏蓋に備えられたビス留め用孔部とがビスによって固定され、フロント部と電池蓋は、フロント部の筐体裏面側に形成された嵌合凹部と、電池蓋の筐体表面側に形成された嵌合凸部とが、スライド可能に嵌合され、裏蓋と電池蓋は、電池蓋に形成された係合爪部が裏蓋に形成された係合孔部で係止されることによって固定されることを特徴とする。
【０００８】
このリモコン筐体によれば、フロント部と裏蓋は、フロント部の筐体裏面側に形成された嵌合凹部と裏蓋の筐体表面側に形成された嵌合凸部とがスライド可能に嵌合され、さらに、フロント部と電池蓋は、フロント部の筐体裏面側に形成された嵌合凹部と電池蓋の筐体表面側に形成された嵌合凸部とがスライド可能に嵌合されるので、フロント部と裏蓋及び電池蓋との嵌合が外れ難いだけでなく、筐体の組み立て及び分解を繰り返し実施しても嵌合部の変形及び破損が生じ難くなっている。また、嵌合にフック部を使用する場合に比して衝撃や温度変化に強い構造となっている。
【０００９】
さらに、この遠隔操作装置の筐体によれば、フロント部と裏蓋がビス留めされることによって、フロント部と裏蓋との固定をより確実にすることが出来る。
【００１０】
そして、この遠隔操作装置の筐体によれば、電池蓋に形成された係合爪部が裏蓋に形成された係合孔部で係止されるので、電池蓋とフロント部が嵌合されることに加えて電池蓋と裏蓋も固定されるので、電池蓋が筐体から外れ難い構造になっている。
【００１１】
第２発明に係る遠隔操作装置の筐体は、表側に操作部を設置するフロント部と、フロント部の裏側に固定される裏蓋と、フロント部の裏側に固定される電池蓋とを備える遠隔操作装置の筐体であって、フロント部と裏蓋は、フロント部の筐体裏面側に形成された嵌合凹部と、裏蓋の筐体表面側に形成された嵌合凸部とが、スライド可能に嵌合され、フロント部と電池蓋は、フロント部の筐体裏面側に形成された嵌合凹部と、電池蓋の筐体表面側に形成された嵌合凸部とが、スライド可能に嵌合されることを特徴とする。
【００１２】
この遠隔操作装置の筐体によれば、フロント部と裏蓋は、フロント部の筐体裏面側に形成された嵌合凹部と裏蓋の筐体表面側に形成された嵌合凸部とがスライド可能に嵌合され、さらに、フロント部と電池蓋は、フロント部の筐体裏面側に形成された嵌合凹部と電池蓋の筐体表面側に形成された嵌合凸部とがスライド可能に嵌合されるので、フロント部と裏蓋及び電池蓋との嵌合が外れ難いだけでなく、筐体の組み立て及び分解を繰り返し実施しても嵌合部の変形及び破損が生じ難くなっている。また、嵌合にフック部を使用する場合に比して衝撃や温度変化に強い構造となっている。
【００１３】
第３発明に係る遠隔操作装置の筐体は、第２発明に係る遠隔操作装置の筐体に於いて、フロント部に備えられたビス留め用ボスと裏蓋に備えられたビス留め用孔部とがビスによって固定されることを特徴とする。
【００１４】
この遠隔操作装置の筐体によれば、フロント部に備えられたビス留め用ボスと裏蓋に備えられたビス留め用孔部とがビス留めされることによって、フロント部と裏蓋との固定を
より確実にすることが出来る。
【００１５】
第４発明に係る遠隔操作装置の筐体は、第２乃至第３発明の何れか一つに係る遠隔操作装置の筐体に於いて、裏蓋と電池蓋は、電池蓋に形成された係合爪部が裏蓋に形成された係合孔部で係止されることによって固定されることを特徴とする。
【００１６】
この遠隔操作装置の筐体によれば、電池蓋に形成された係合爪部が裏蓋に形成された係合孔部で係止されるので、電池蓋とフロント部が嵌合されることに加えて電池蓋と裏蓋も固定されるので、電池蓋が筐体から外れ難い構造になっている。
【００１７】
第５発明に係る遠隔操作装置の筐体は、第２乃至第４発明の何れか一つに係る遠隔操作筐体に於いて、遠隔操作装置は電子機器のリモコンであることを特徴とする。
【００１８】
この遠隔操作装置の筐体によれば、遠隔操作装置が電子機器のリモコンであるので、該遠隔装置装置の筐体構造を様々な電子機器のリモコンに適用することが出来る。
【発明の効果】
【００１９】
本発明によれば、遠隔操作装置の筐体を外れにくく、繰り返し組み立て及び分解を実施可能にすることが出来る。
【発明を実施するための最良の形態】
【００２０】
[構成]
図１は、本実施形態に係るリモコン筐体１を分解した状態に於ける概略構成図である。また、図２（ａ）は本実施形態に係るリモコン筐体１の組み立てた状態に於ける斜視図であり、図２（ｂ）は本実施形態に係るリモコン筐体１の断面図であり、図２（ｃ）は本実施形態に係るリモコン筐体１の電池蓋４を内側から見た斜視図である。
【００２１】
図１及び２に図示されている通り、樹脂成形により形成された略直方体のリモコン筐体１は、フロント部２と、裏蓋３と、電池蓋４で構成される。
【００２２】
フロント部２は、表側に複数の入力キーを設置する貫通孔１５（図２（ｂ）参照）を備えており、その内部空間は、板状片部１３によって基盤が設置される基板設置部１７と電池が設置される電池設置部１８とに区分されている。フロント部２の裏側周縁部には、断面形状が略Ｌ字状の嵌合凹部１０が形成されている。該嵌合凹部１０はフロント部２の裏側周縁部上に２本形成されており、各々が該周縁部上に於いて、フロント部２の上面の位置から、底面から一定距離の位置まで延ばされ、さらに上面の裏側周縁部上に於いて中心方向に向かって一定距離延ばされている。該２本の嵌合凹部１０は上面の裏側周縁部上で接することなく一定間隔を保っているが、この部分は、赤外線発光部を設置するための開口部１４として使用される。また、フロント部２の底面内側壁部近傍にはボス７が形成されている。該ボス７は、フロント部２の表面内壁から裏面方向略垂直に延びるように形成されており、その先端面にビス取り付け用のビス穴が形成されている。
【００２３】
裏蓋３はフロント部２の裏側を略一面に覆うように設置され、裏蓋３の側面端部に沿って、断面形状略Ｌ字の嵌合凸部１１が形成されている。該嵌合凸部１１の上面側から底面側への長さは、フロント部２に設けられている基板設置部１７の上面側から板状片部１３までの長さと略同一である。そして、嵌合凸部１１はフロント部２に形成された嵌合凹部１０と嵌合し、裏蓋３をリモコン筐体１の上面側から底面側にスライドさせることによってフロント部２と裏蓋３が取り付けられる。この時、フロント部２の基板設置部１７に設置される基板（図示せず）は、フロント部２と裏蓋３に挟設されるので、フロント部２または／及び裏蓋３にビス留め等の方法で固定される必要はない。また、裏蓋３の側壁１９の端部には枠部２０が一体に形成されている。枠部２０には電池設置用の開口部１２が形成されており、枠部２０の底面側の１辺にはビス留め用の貫通孔６が形成されている。さらに、側壁１９には、電池蓋４に形成される係合爪部８を挿入して、係止するための係合
孔部９が形成されている。
【００２４】
電池蓋４は、裏蓋３の枠部２０を覆い、さらに、フロント部２に設けられた電池設置部１８を覆うようにして設置される。電池蓋４の上面端部には係合爪部８が形成されており、係合爪部８の先端部はテーパ形状になっている。また、図２（ｃ）に図示されているように、電池蓋４の内側周縁部に於いて、底面側から上面側に向かって断面形状略矩形の嵌合凸部１６が２本形成されている。嵌合凸部１６は、フロント部２に形成された嵌合凹部１０と嵌合され、電池蓋４をリモコン筐体１の底面側から上面側に向かってスライドさせることによって、電池蓋４はフロント部２に取り付けられる。なお、嵌合凸部１６と嵌合凹部１０が嵌合するためには、嵌合凸部１６の上面側から底面側までの長さは、嵌合凹部１０の底面側先端から底面までの距離よりも長くなければならない。
【００２５】
[組み立て方法]
本実施形態に係るリモコン筐体１の組み立て方法は、まず、フロント部２の嵌合凹部１０と裏蓋３の嵌合凸部１１を嵌合させ、裏蓋３をリモコン筐体１の上面から底面方向にスライドさせる。そして、裏蓋３の枠部２０の下部に形成された貫通孔６と、フロント部２の底面内側近傍に設けられたボス７の位置を合わせて、ビス５によって裏蓋３とフロント部２を固定する。その後、電池蓋４の嵌合凸部１６をフロント部２に形成された嵌合凹部１０と嵌合し、リモコン筐体１の底面側から上面側にスライドさせる。さらに、電池蓋４の上面端部に設置された係合爪部８を、裏蓋３に形成された係合孔部９に挿入し、該係合爪部８の先端部分を側壁９の基板設置部１７側で係止させる。
【００２６】
一方、図２（ａ）に図示されたリモコン筐体１の状態で、リモコン筐体１の電池蓋４を取り外す場合には、電池蓋４に形成された係止爪部８近傍の裏面端部を表面側に押し下げて、裏蓋３に形成された係合孔部９と電池蓋４に形成された係合孔部９との係止状態を解除し、この状態で電池蓋４をリモコン筐体１の底面側にスライドさせて、フロント部２に形成された嵌合凹部１０と電池蓋４に形成された嵌合凸部１１との嵌合を外す。また、フロント部２と裏蓋３の嵌合を外す場合には、裏蓋３の貫通孔６を介してフロント部２に形成されたボス７に固定されたビス５を外し、裏蓋３をリモコン筐体１の上面側にスライドさせることによって、フロント部２に形成された嵌合凹部１０と裏蓋３に形成された嵌合凸部１１との嵌合を外す。
【００２７】
[作用効果]
本実施形態に係るリモコン筐体１によれば、フロント部２と裏蓋３は、フロント部２に形成された嵌合凹部１０と裏蓋３に形成された嵌合凸部１１とがスライド可能に嵌合され、さらに、フロント部２と電池蓋４は、フロント部２に形成された嵌合凹部１０と電池蓋４に形成された嵌合凸部１１とがスライド可能に嵌合されるので、フロント部２と裏蓋３及び電池蓋４との嵌合がフック部を使用して嵌合された場合に比して、急激な温度変化や筐体落下時等の衝撃が加えられた場合でも嵌合が外れ難くなる。また、フック部を使用して嵌合された場合に比して、筐体が衝撃を受けた場合に嵌合凹部１０と嵌合凸部１１が変形及び破損する可能性が低く、筐体の組み立て及び解体を繰り返し実行した場合でも、嵌合部の変形及び破損が生じ難い。
【００２８】
また、本実施形態に係るリモコン筐体１によれば、フロント部２に形成された嵌合凹部１０が裏蓋３に形成された嵌合凸部１１との嵌合に使用されるだけでなく、電池蓋４に形成された嵌合凸部１６との嵌合にも使用されるので、余分な部材を形成、若しくは、設置する必要がなく、生産コストを抑えることが出来る。
【００２９】
また、本実施形態に係るリモコン筐体１によれば、フロント部２と裏蓋３とがビス留めされることによって、フロント部２と裏蓋３をより確実に固定することが出来る。さらに
、嵌合凹凸部を用いた構造によって、フロント部２と裏蓋３とを１箇所のビス留めで確実に固定できるので、必要なビスの数を最小限にすることができ、生産コストを抑えることが出来る。
【００３０】
また、本実施形態に係るリモコン筐体１によれば、電池蓋４に形成された係合爪部８が裏蓋３に形成された係合孔部９で係止されるので、電池蓋４とフロント部２が嵌合されるだけでなく、電池蓋４と裏蓋３も固定することが可能とり、電池蓋４がリモコン筐体１から外れ難い構造にすることが出来る。
【００３１】
[その他の実施形態]
本実施形態では、フロント部２の底面から嵌合凹部１０の底面側先端までの一定間隔を維持する構成としたが、この間隔を維持せずに嵌合凹部１０の上面側から底面側までの長さを長くする構成としてもよい。この際、電池蓋４に形成される嵌合凸部１６の底面側から上面側までの長さが長くなる程、フロント部２から電池蓋４を底面側にスライドさせる距離が長くなるので、電池蓋４を外れ難くすることが出来る。
【図面の簡単な説明】
【００３２】
【図１】本実施形態に係るリモコン筐体の概略構成図
【図２】本実施形態に係るリモコン筐体の斜視図と断面図、及び、電池蓋の斜視図
【符号の説明】
【００３３】
１    リモコン筐体      
２    フロント部  
３    裏蓋
４    電池蓋
５    ビス
６    貫通孔
７    ボス
８    係合爪部
９    係合孔部
１０  嵌合凹部
１１  嵌合凸部
１２  開口部
１３  板状片部
１４  開口部
１５  貫通孔
１６  嵌合凸部
１７  基板設置部
１８  電池設置部
１９  側壁
２０  枠部
【図１】
2006049049.tif 000003
【図２】
2006049049.tif 000004